(57)【要約】      （修正有）【課題】堰で囲まれた敷地内に雨水が放射性物質を含む汚染水となって溜まることを抑制する雨水カバー装置を提供する。【解決手段】堰Ｗで囲まれた敷地内に設けられた複数の貯蔵タンクＴの間の中間区域Ｓ１を被覆するように設けられる内側カバー１と、貯蔵タンクＴ及び堰Ｗの間の外周区域Ｓ２を被覆するように設けられる外側カバー２と、内側カバー１の低域部から堰Ｗの外部領域Ｏに向けて配管される排水管路３と、を備え、貯蔵タンクＴは、タンク側面Ｔ１の所定高さに設けられる取付部Ｔ２を有し、内側カバー１は、タンク側面Ｔ１に沿って形成される曲辺を有し、曲辺が取付部Ｔ２に連結され、外側カバー２は、タンク側面Ｔ１に沿って形成される内曲辺２ａと、堰Ｗに沿って形成される外辺２ｂと、を有し、内曲辺２ａが取付部Ｔ２に連結され、外辺２ｂが堰Ｗに対して内曲辺２ａよりも低位となる傾斜状に連結される。【選択図】図１
2018124238.tif 000002
【特許請求の範囲】
【請求項１】
堰で囲まれた敷地内に設けられた複数の貯蔵タンクの間の中間区域を被覆するように設けられる内側カバーと、
前記貯蔵タンク及び堰の間の外周区域を被覆するように設けられる外側カバーと、
前記内側カバーの低域部から前記堰の外部領域に向けて配管される排水管路と、を備え、
前記貯蔵タンクは、タンク側面の所定高さに設けられる取付部を有し、
前記内側カバーは、前記タンク側面に沿って形成される曲辺を有し、前記曲辺が前記取付部に連結され、
前記外側カバーは、前記タンク側面に沿って形成される内曲辺と、前記堰に沿って形成される外辺と、を有し、前記内曲辺が前記取付部に連結され、前記外辺が前記堰に対して前記内曲辺よりも低位となる傾斜状に連結されることを特徴とする雨水カバー装置。
【請求項２】
前記タンク側面と、前記内側カバーの前記曲辺及び前記外側カバーの前記内曲辺との間に所定幅の通水空間が形成されることを特徴とする請求項１記載の雨水カバー装置。
【請求項３】
前記内側カバーの前記低域部が、前記排水管路の入口部と接続する排水口を有し、前記排水口又は前記入口部のいずれか一方若しくは両方が変形自在に構成されることを特徴とする請求項１又は２記載の雨水カバー装置。
【発明の詳細な説明】
【技術分野】
【０００１】
本発明は、堰で囲まれた敷地内に複数の貯蔵タンクが設けられる施設において、貯蔵タンクの間の区域や貯蔵タンクと堰の間の区域などへの雨水等の浸入を防止するために用いられる雨水カバー装置に関する。
【背景技術】
【０００２】
従来、この種の雨水カバー装置として、貯蔵タンクの上縁部に沿うと共に上縁部に重なるように配置可能な複数の取付部と、複数の取付部を連結すると共に複数の取付部に向けて下方に傾斜する被覆部と、を備えた防水カバーがある（例えば、特許文献１参照）。
防水カバーの構造は、複数のフレームにより枠体を構成し、この枠体に被覆シートを固定している。
防水カバーの各取付部を複数の貯蔵タンクの各上縁部に重なるように配置することで、被覆部により複数の貯蔵タンク間が被覆される。被覆部が各取付部に向けて下方に傾斜することで、被覆部により受け止めた雨水を貯蔵タンク間に落下させずに貯蔵タンクの上部に流し、排水設備により排水している。このため、貯蔵タンクからの漏水を受け止める堰の内部への雨水の浸入が抑制され、処理水の増加を抑制している。
【先行技術文献】
【特許文献】
【０００３】
【特許文献１】特開２０１６−１８３９２８号公報
【発明の概要】
【発明が解決しようとする課題】
【０００４】
しかし乍ら、特許文献１では、貯蔵タンクの間のみが被覆されるだけで貯蔵タンクと堰の間が被覆されず露出するため、貯蔵タンクと堰の間に降った雨水は、そのまま排水されず堰の内部領域に溜ってしまうという問題があった。
また、原子力発電プラントで事故が発生した場合の汚染水対策では、貯蔵タンクに汚染水が入っており、万が一貯蔵タンクから汚染水が漏れ出した際、堰内の雨水は放射性物質が含まれた汚染水となり、堰の内部に流入した雨水のすべてを、管理分析した上で排出するように義務付けている。
特に台風など降水量が多い時期には、堰の内部に溜った雨水が急激に増加するため、雨水回収用のタンクを増設して対応しているが、それ以外にも貯蔵タンクに貯蔵しなければならない汚染水も増加し続けており、雨水対応の改善が要求されている。
このような事情から貯蔵タンクを大型化し、その高さが約１０ｍ以上になっている。
しかし、特許文献１では、貯蔵タンクの上縁部に重なるように取付部及び被覆部が配備されるため、施工作業が約１０ｍ以上の高所で危険であるだけでなく、作業用の資材を高所に搬送することも高所用クレーンなどの特殊機械が必要になって面倒であるという問題があった。
さらに、防水カバーが複数のフレームからなる枠体に被覆シートを固定することで強度保持する構造であるため、地震などにより防水カバーのフレームが破損すると、フレームが地上に落下するおそれがあり、非常に危険あるという問題もあった。
【課題を解決するための手段】
【０００５】
このような課題を解決するために本発明に係る雨水カバー装置は、堰で囲まれた敷地内に設けられた複数の貯蔵タンクの間の中間区域を被覆するように設けられる内側カバーと、前記貯蔵タンク及び堰の間の外周区域を被覆するように設けられる外側カバーと、前記内側カバーの低域部から前記堰の外部領域に向けて配管される排水管路と、を備え、前記貯蔵タンクは、タンク側面の所定高さに設けられる取付部を有し、前記内側カバーは、前記タンク側面に沿って形成される曲辺を有し、前記曲辺が前記取付部に連結され、前記外側カバーは、前記タンク側面に沿って形成される内曲辺と、前記堰に沿って形成される外辺と、を有し、前記内曲辺が前記取付部に連結され、前記外辺が前記堰に対して前記内曲辺よりも低位となる傾斜状に連結されることを特徴とする。
【図面の簡単な説明】
【０００６】
【図１】本発明の実施形態に係る雨水カバー装置の全体構成を示す説明図であり、要部を一部切欠した斜視図である。
【図２】内側カバー（第二内側カバー）の部分拡大平面図である。
【図３】外側カバー（第二外側カバー）の部分拡大平面図である。
【図４】排水管路を部分拡大した縦断正面図である。
【発明を実施するための形態】
【０００７】
以下、本発明の実施形態を図面に基づいて詳細に説明する。
本発明の実施形態に係る雨水カバー装置Ａは、図１〜図４に示すように、原子力発電所の事故処理として建設された汚染水貯留施設など、堰Ｗで囲まれる敷地内に複数の貯蔵タンクＴをそれぞれ所定間隔毎に設けた箇所に配備され、堰Ｗの内部領域Ｓへの雨水等の浸入を防止するものである。
堰Ｗの内部領域Ｓは、並設した各貯蔵タンクＴの間に配置される中間区域Ｓ１と、貯蔵タンクＴ及び堰Ｗの間に配置される外周区域Ｓ２とからなる。
詳しく説明すると、本発明の実施形態に係る雨水カバー装置Ａは、複数の貯蔵タンクＴの間の中間区域Ｓ１を被覆するように設けられる内側カバー１と、貯蔵タンクＴ及び堰Ｗの間の外周区域Ｓ２を被覆するように設けられる外側カバー２と、内側カバー１の低域部１Ｌから堰Ｗの外部領域Ｏに向けて配管される排水管路３と、を主要な構成要素として備えている。
【０００８】
貯蔵タンクＴは、汚染水や雨水などを含む液体又は気体などを貯留するための有蓋円筒タンクなどであり、円柱状のタンク側面Ｔ１を有している。
タンク側面Ｔ１の所定高さには、タンク側面Ｔ１に対して内側カバー１や外側カバー２を取り付けるための取付部Ｔ２が設けられる。
取付部Ｔ２は、金属などの硬質材料によりタンク側面Ｔ１に沿って周方向へ延びる管状や線状や紐状や帯状などの形状に形成され、タンク側面Ｔ１の周方向へ連続する環状に配置するか、又は必要箇所のみに周方向へ分断する弓状に配置する。
取付部Ｔ２の設置高さとしては、堰Ｗの上面よりも高く且つ内側カバー１や外側カバー２によって作業者の通行を妨げない地上から約２ｍ〜４ｍの範囲に配置することが好ましい。
取付部Ｔ２の具体例として図１〜図３に示される場合には、金属パイプなどからなる環状のバンドを、タンク側面Ｔ１に沿って周方向へ所定間隔毎に突設した支持具Ｔ３で、タンク側面Ｔ１から若干離れた状態で固定している。
また、その他の例として図示しないが、取付部Ｔ２を図示例以外の形状に変更することも可能である。
【０００９】
内側カバー１は、不透明又は透明な防水シートなどの変形可能な軟質材料や肉薄の合成樹脂シートなどの変形可能な軟質材料からなる。内側カバー１は、タンク側面Ｔ１に沿って曲線状に形成される複数の曲辺１ａと、曲辺１ａから下り傾斜して曲辺１ａよりも低い低域部１Ｌと、を有している。
複数の曲辺１ａは、それぞれ貯蔵タンクＴの取付部Ｔ２に連結される。曲辺１ａと取付部Ｔ２の連結手段としては、タンク側面Ｔ１と曲辺１ａの間に隙間（通水空間４）が形成されるように、ロープやワイヤなどからなる第一線材５１を用いることが好ましい。
内側カバー１の全体形状は、その周囲に配置される貯蔵タンクＴの数によって異なり、曲辺１ａの数が違う内側カバー１を複数種類用意している。
内側カバー１の一例として図１に示される場合には、四つの貯蔵タンクＴの間に四つの曲辺１ａを有する第一内側カバー１１が配置された例である。
また、内側カバー１の他の例として図２に示される場合には、三つの貯蔵タンクＴの間に三つの曲辺１ａを有する第二内側カバー１２が配置された例である。
図２において矢印１Ｆは、内側カバー１（第二内側カバー１２）の傾斜方向、すなわち雨水の流れ方向を示している。
なお、それ以外の内側カバー１の変形例として図示しないが、五つ以上の曲辺１ａを有する内側カバー１を用意してもよい。
【００１０】
外側カバー２は、内側カバー１と同様に不透明又は透明な防水シートなどの変形可能な軟質材料や肉薄の合成樹脂シートなどの変形可能な軟質材料からなる。外側カバー２は、タンク側面Ｔ１に沿って曲線状に形成される内曲辺２ａと、堰Ｗに沿って形成される外辺２ｂと、を有している。
内曲辺２ａは、貯蔵タンクＴの取付部Ｔ２に連結される。内曲辺２ａと取付部Ｔ２の連結手段としては、タンク側面Ｔ１と内曲辺２ａの間に隙間（通水空間４）が形成されるように、ロープやワイヤなどからなる第一線材５１を用いることが好ましい。
外辺２ｂは、堰Ｗに対して内曲辺２ａよりも低位となる傾斜状に連結される。外辺２ｂと堰Ｗの連結手段としては、外辺２ｂと堰Ｗとの間に隙間が形成されないように、ロープやワイヤなどからなる第二線材５２を用いることが好ましい。
外側カバー２の全体形状は、その周囲に配置される貯蔵タンクＴの数や堰Ｗの形状によって異なり、内曲辺２ａの数や外辺２ｂの形状が違う外側カバー２を複数種類用意している。
外側カバー２の一例として図１に示される場合には、一つの貯蔵タンクＴと平面Ｌ字形の堰Ｗの間に、一つの内曲辺２ａと平面Ｌ字形の外辺２ｂを有する第一外側カバー２１が配置された例である。
さらに図１に示される場合には、外側カバー２の他の例として、二つの貯蔵タンクＴと平面直線状の堰Ｗの間に、二つの内曲辺２ａと平面直線状の外辺２ｂを有する第二外側カバー２２が配置された例も記載されている。
また、それ以外の外側カバー２の変形例として図示しないが、三つ以上の内曲辺２ａを有する外側カバー２や、平面形状が任意の形状に折れ曲った外辺２ｂを有する外側カバー２を用意してもよい。
【００１１】
外側カバー２の外辺２ｂを連結する堰Ｗの高さは、外側カバー２の外辺２ｂを直接的に支持するための所望高さに満たないことがある。
このような場合には、図１及び図３に示されるように、堰Ｗに沿って複数の支柱Ｗ１を所定間隔毎に立設するとともに、複数の支柱Ｗ１に亘って支持材Ｗ２が横設され、支持材Ｗ２に対して外側カバー２の外辺２ｂをロープやワイヤなどからなる第二線材５２で連結することが好ましい。
これにより、外側カバー２となる第一外側カバー２１及び第二外側カバー２２は、内曲辺２ａに比べ外辺２ｂが低位となる所望の傾斜角度で張架可能になる。
図３において矢印２Ｆは、外側カバー２（第二外側カバー２２）の傾斜方向、すなわち雨水の流れ方向を示している。
また、その他の例として図示しないが、図示例以外の構造で外側カバー２を所望の傾斜角度で張架することも可能である。
【００１２】
そして、貯蔵タンクＴのタンク側面Ｔ１と、内側カバー１の曲辺１ａ及び外側カバー２の内曲辺２ａとの間には、貯蔵タンクＴに触れた雨水が通過する所定幅の通水空間４を形成することが好ましい。
これにより、貯蔵タンクＴに触れた雨水は、通水空間４を通って堰Ｗの内部領域Ｓ（中間区域Ｓ１と外周区域Ｓ２）に流れ込む。
通水空間４の具体例として図１〜図３に示される場合には、タンク側面Ｔ１に設けられた取付部Ｔ２となるバンドと、内側カバー１の曲辺１ａ及び外側カバー２の内曲辺２ａとを、ロープやワイヤなどの第一線材５１で締結している。このため、取付部Ｔ２となるバンドを挟んでタンク側面Ｔ１と内側カバー１の曲辺１ａ又は外側カバー２の内曲辺２ａとの間に通水空間４が形成される。
また、外側カバー２の外辺２ｂは、堰Ｗの支持材Ｗ２に対してロープやワイヤなどの第二線材５２で締結され、隣り合う内側カバー１と外側カバー２の端辺同士や隣り合う外側カバー２の端辺同士は、ロープやワイヤなどの第三線材５３で締結されている。
なお、その他の例として図示しないが、通水空間４を図示例以外の構造で形成することも可能である。外側カバー２の外辺２ｂと堰Ｗとの連結手段や、隣り合う内側カバー１と外側カバー２の端辺同士の連結手段や、隣り合う外側カバー２の端辺同士の連結手段を図示例以外の連結手段に変更することも可能である。
【００１３】
一方、内側カバー１の低域部１Ｌには、排水口１ｂが配設され、排水口１ｂに排水管路３を接続している。
排水管路３は、排水口１ｂに接続される入口部３ａと、堰Ｗの外部領域Ｏに向けて形成される出口部３ｂと、入口部３ａ及び出口部３ｂの間に形成される中間部３ｃと、を有している。
排水管路３の中間部３ｃは、堰Ｗの内部領域Ｓにおいて吊持具などからなる支持部３ｄにより移動不能に固定される。
内側カバー１の排水口１ｂと排水管路３の入口部３ａとの接続構造は、排水口１ｂ又は入口部３ａのいずれか一方か、若しくは排水口１ｂ及び入口部３ａの両方を変形自在な材料で構成することが好ましい。
これにより、内側カバー１の振動が変形可能な排水口１ｂや入口部３ａにより吸収されて排水管路３に伝播不能になる。
【００１４】
内側カバー１における低域部１Ｌの具体例として図４に示される場合には、内側カバー１（第一内側カバー１１，第二内側カバー１２）の略中央部位を板状部材１ｃにより挟み込むなどして変形不能に保持し、板状部材１ｃを敷地内の地面Ｇに引っ張ることで、低域部１Ｌが形成される。
排水口１ｂは、防水シートなどの変形可能な軟質材料や肉薄の合成樹脂シートなどの変形可能な軟質材料で漏斗状に形成され、内側カバー１と一体形成するか又は漏斗状部材を連結することで構成し、板状部材１ｃの貫通孔を通って吊り下げられる。
排水口１ｂの先端（下端）には、硬質材料からなる変形不能な入口部３ａを接続し、連結具１ｄで入口部３ａが着脱自在に連結されている。
また、その他の例として図示しないが、排水管路３の支持部３ｄや、内側カバー１における低域部１Ｌの構造や、排水口１ｂと入口部３ａの接続構造は、図示例以外の構造に変更することが可能である。
【００１５】
このような本発明の実施形態に係る雨水カバー装置Ａによると、並設された貯蔵タンクＴの間に配置される中間区域Ｓ１を被覆する内側カバー１に降った雨水は、内側カバー１の低域部１Ｌに集水され、排水管路３を通って中間区域Ｓ１から堰Ｗの外部領域Ｏに排水される。
貯蔵タンクＴ及び堰Ｗの間に配置される外周区域Ｓ２を被覆する外側カバー２に降った雨水は、外側カバー２の内曲辺２ａから低位な外辺２ｂに向かう傾斜により外周区域Ｓ２から堰Ｗの外部領域Ｏに排水される。
。
したがって、堰Ｗで囲まれた敷地内に雨水が放射性物質を含む汚染水となって溜まることを抑制することができる。
その結果、貯蔵タンクの間のみが被覆されるだけで貯蔵タンクと堰の間が露出する従来のものに比べ、貯蔵タンクＴと堰Ｗの間の外周区域Ｓ２が外側カバー２で覆われて雨水の侵入が阻止され、堰Ｗの内部領域Ｓに溜る汚染水の量を大幅に削減できる。
さらに、タンク側面Ｔ１の所定高さの取付部Ｔ２に対して内側カバー１の曲辺１ａや外側カバー２の内曲辺２ａが連結される。このため、貯蔵タンクの上縁部に重なるように取付部及び被覆部が配備される従来のものに比べ、内側カバー１や外側カバー２の施工作業を比較的に低所で行うことができ、貯蔵タンクＴが大型化して高くなって、これと関係なく配備でき、安全性に優れるだけでなく高所用クレーンなどの特殊機械を用いる必要がないから作業性に優れる。
【００１６】
特に、タンク側面Ｔ１と、内側カバー１の曲辺１ａ及び外側カバー２の内曲辺２ａとの間に所定幅の通水空間４を形成することが好ましい。
この場合には、図１〜図３に示されるように、貯蔵タンクＴに触れて汚染水と見なされた雨水が、通水空間４を通って、堰Ｗの内部領域Ｓに流れ落ちる。
したがって、貯蔵タンクＴに触れて汚染水と見なされた雨水が堰Ｗの外部領域Ｏに漏れ出ることを確実に防止することができる。
その結果、汚染水が漏洩せず安全性に優れる。
【００１７】
ところで、内側カバー１を防水シートなどのような変形可能な構成すると、内側カバー１が風の影響で振動し、排水口１ｂを介して接続する排水管路３まで振動が伝播し、排水口１ｂや排水管路３（入口部３ａ，中間部３ｃ，支持部３ｄ）などの破損原因となる。
そこで、内側カバー１の低域部１Ｌが、排水管路３の入口部３ａと接続する排水口１ｂを有し、排水口１ｂ又は入口部３ａのいずれか一方若しくは両方を変形自在に構成することが好ましい。
この場合には、図４に示されるように、風や地震などの影響で内側カバー１が振動しても、この振動が変形可能な内側カバー１の排水口１ｂや排水管路３の入口部３ａにより吸収されて排水管路３に伝播しない。
したがって、風や地震などの影響による内側カバー１の振動で排水口１ｂや排水管路３（入口部３ａ，中間部３ｃ，支持部３ｄ）などが破損することを防止することができる。
その結果、排水管路３からの水漏れ防止を長期に亘り維持できて安全性に優れる。
【００１８】
さらに、図示例の場合には、内側カバー１や外側カバー２が持っている張力のみで、風や雪などに対する強度を保持している。
したがって、内側カバー１や外側カバー２の軽量化を達成することができる。
その結果、防水カバーが複数のフレームからなる枠体に被覆シートを固定することで強度保持する構造である従来のものに比べ、地震などにより内側カバー１や外側カバー２の取付部Ｔ２が破損しても、比較的に軽量な内側カバー１や外側カバー２が地上に落下するだけで危険度の低下が図れる。また、施工現場までの輸送が容易で輸送費及びコストの低減化も図れる。
【００１９】
なお、前示の実施形態において図示例では、貯蔵タンクＴとして同じサイズの有蓋円筒タンクのみが並設される場合を示したが、これに限定されず、サイズが異なる貯蔵タンクＴが混在している場合であっても同様である。
さらに、貯蔵タンクＴには点検用のタラップなどがタンク側面Ｔ１から突出して設けられるが、図示例では省略している。内側カバー１の曲辺１ａ及び外側カバー２の内曲辺２ａにおいて、点検用のタラップなどの突起物と対向する箇所には、略Ｕ字形状又は略半円形の切欠部（図示しない）を形成して干渉しないようにしている。
【符号の説明】
【００２０】
Ａ  雨水カバー装置                  １  内側カバー
１ａ  曲辺                          １ｂ  排水口
１Ｌ  低域部                        ２  外側カバー
２ａ  内曲辺                        ２ｂ  外辺
３  排水管路                        ３ａ  入口部
４  通水空間                        Ｏ  外部領域
Ｓ  内部領域                        Ｓ１  中間区域
Ｓ２  外周区域                      Ｔ  貯蔵タンク
Ｔ１  タンク側面                    Ｔ２  取付部
Ｗ  堰
【図１】
2018124238.tif 000003
【図２】
2018124238.tif 000004
【図３】
2018124238.tif 000005
【図４】
2018124238.tif 000006
【手続補正書】
【提出日】平成29年5月19日(2017.5.19)
【手続補正１】
【補正対象書類名】明細書
【補正対象項目名】００１３
【補正方法】変更
【補正の内容】
【００１３】
一方、内側カバー１の低域部１Ｌには、排水口１ｂが配設され、排水口１ｂに排水管路３を接続している。
排水管路３は、排水口１ｂに接続される入口部３ａと、堰Ｗの外部領域Ｏに向けて形成される出口部３ｂと、入口部３ａ及び出口部３ｂの間に形成される中間部３ｃと、を有している。
排水管路３の中間部３ｃは、堰Ｗの内部領域Ｓにおいて吊治具などからなる支持部３ｄにより移動不能に固定される。
内側カバー１の排水口１ｂと排水管路３の入口部３ａとの接続構造は、排水口１ｂ又は入口部３ａのいずれか一方か、若しくは排水口１ｂ及び入口部３ａの両方を変形自在な材料で構成することが好ましい。
これにより、内側カバー１の振動が変形可能な排水口１ｂや入口部３ａにより吸収されて排水管路３に伝播不能になる。